(57)【要約】本発明は、スマートウェアラブルデバイス分野に関し、特に、身体状態及び動作の監視アラームシステムに関する。本発明は、メインチップと、ディスプレイと、温湿度センサーと、血圧センサーと、脳波センサーと、電子ジャイロスコープと、心拍センサーと、圧力センサーと、硫化水素センサーと、雑音測定モジュールと、ブルートゥースモジュールと、電力供給モジュールと、を含む。本発明は、人の健康状態を監視できたり、人の動作状態も監視できる。
2019512772.tif 000002
【特許請求の範囲】
【請求項１】
身体状態及び動作の監視アラームシステムであって、
処理情報を受送信すると共にアラームコマンドを伝送するためのメインチップ（１）と、
前記メインチップ（１）に接続され、情報データを表示するためのディスプレイ（２）と、
前記メインチップ（１）に接続され、常に人体の温湿度データを検出すると共に収集し、また収集したデータを前記メインチップ（１）に伝送するための温湿度センサー（３）と、
前記メインチップ（１）に接続され、常に人体の血圧データを検出すると共に収集し、また収集したデータを前記メインチップ（１）に伝送するための血液センサー（４）と、
前記メインチップ（１）に接続され、常に人体の脳波データを検出すると共に収集し、また収集したデータを前記メインチップ（１）に伝送するための脳波センサー（５）と、
前記メインチップ（１）に接続され、常に人体の姿勢データを検出すると共に収集し、また収集したデータを前記メインチップ（１）に伝送するための電子ジャイロスコープ（６）と、
前記メインチップ（１）に接続され、常に人体の心拍データを検出すると共に収集し、また収集したデータを前記メインチップ（１）に伝送するための心拍センサー（１５）と、
前記メインチップ（１）に接続され、常に人体の体重データ及び装着物の人体に対する圧力データを検出すると共に収集し、また収集したデータを前記メインチップ（１）に伝送するための圧力センサー（１６）と、
前記メインチップ（１）に接続され、常に人体から排出された硫化水素の濃度データを検出すると共に収集し、また収集したデータを前記メインチップ（１）に伝送するための硫化水素センサー（１７）と、
前記メインチップ（１）に接続され、周囲環境の騒音の大きさを監視するための雑音測定モジュール（７）と、
前記メインチップ（１）に接続され、データ及びアラーム情報を送信するためのブルートゥースモジュール（１０）と、
前記メインチップ（１）に接続され、システム電源を供給するための電力供給モジュール（１１）と、を含み、
前記メインチップ（１）にアラーム信号を発するための音声警報モジュール（９）が接続され、前記メインチップ（１）は常に受信した人体の温湿度データ、人体の血圧データ、人体の脳波データ、人体の心拍データ、人体の姿勢データ及び硫化水素濃度データが設定値を超えた時、直ちに前記音声警報モジュール（９）にアラーム信号を発するよう命令し、
前記メインチップ（１）に周囲の環境音を記録するための録音モジュール（８）が接続され、前記メインチップ（１）は前記雑音測定モジュール（７）で検知した周囲環境内の騒音が設定値より大きい時、直ちに前記録音モジュール（８）を制御して録音することを特徴とする、身体状態及び動作の監視アラームシステム。
【請求項２】
前記メインチップ（１）に接続されると共に携帯電話に対しアラーム情報を送信するためのＧＳＭモジュール（１２）を更に含み、前記ＧＳＭモジュール（１２）にＳＩＭカードソケット、ＧＰＲＳモジュール及びＧＰＳ測位モジュールが設けられていることを特徴とする、請求項１に記載の身体状態及び動作の監視アラームシステム。
【請求項３】
前記メインチップ（１）に接続されると共に外部ルータにアラーム情報を送信するためのＷＩＦＩモジュール（１３）を更に含むことを特徴とする、請求項１に記載の身体状態及び動作の監視アラームシステム。
【請求項４】
前記メインチップ（１）に接続されると共にシステムを操作するためのタッチスクリーン（１４）を更に含むことを特徴とする、請求項１に記載の身体状態及び動作の監視アラームシステム。
【請求項５】
前記録音モジュール（８）に接続されると共に体音データを取得するための電子聴診器（１８）を更に含み、前記電子聴診器（１８）は、取得した体音データを前記録音モジュール（８）に伝送して録音することを特徴とする、請求項１に記載の身体状態及び動作の監視アラームシステム。
【請求項６】
前記ディスプレイ（２）は、ＯＬＥＤスクリーンであることを特徴とする、請求項１に記載の身体状態及び動作の監視アラームシステム。
【請求項７】
前記温湿度センサー（３）、前記血圧センサー（４）、前記脳波センサー（５）、前記電子ジャイロスコープ（６）、前記心拍センサー（１５）、前記圧力センサー（１６）及び前記硫化水素センサー（１７）上は、防水筐体で覆われることを特徴とする、請求項１に記載の身体状態及び動作の監視アラームシステム。
【請求項８】
前記メインチップ（１）に接続されると共に周囲の環境映像を記録するためのカメラ（１９）を更に含み、前記雑音測定モジュール（７）には、マイク（２０）が設けられ、前記音声警報モジュール（９）にスピーカ（２１）が設けられていることを特徴とする、請求項１に記載の身体状態及び動作の監視アラームシステム。
【請求項９】
前記メインチップ（１）に接続される集音器モジュール（２３）を更に含むことを特徴とする、請求項１に記載の身体状態及び動作の監視アラームシステム。
【請求項１０】
前記メインチップ（１）に接続されると共にシステム電源を供給するための太陽電池（２２）を更に含むことを特徴とする、請求項１に記載の身体状態及び動作の監視アラームシステム。
【発明の詳細な説明】
【技術分野】
【０００１】
本発明は、スマートウェアラブルデバイス分野に関し、特に、身体状態及び動作の監視アラームシステムに関する。
【背景技術】
【０００２】
科学技術の進歩につれ、益々多くのスマートウェアラブルデバイスが人々の生活に入り込んできた。現代人は、身体の健康に更に注意を払い、現在のスマートウェアラブルの研究開発ブームに結び付き、本分野においても益々多くの研究開発人員が研究の重点を健康管理スマートウェアラブル分野に置き、例えば発明特許の「心拍警報システム」という名称の中国特許第２０１１１０３７１５３３．７号では、心拍警報機能を備えたスマート衣服が開示され、着用者の心理状態を常に測定でき、その心拍に異常が起きた時、直ちに警報を作動できる。
【０００３】
社会の発展に伴い、人々の需要は、心拍の状況を監視するだけに限らず、更に身体の各種健康状態のみならず動作状況を全面的に監視することを望ましく、例えば情緒不安定、喧嘩、転倒等の異常動作が発生した時、人々に早期に知らせると共に処理させることができる。
【０００４】
しかしながら、現在スマートウェアラブル分野において、当業者は身体状態監視設備について開発するだけで、人の動作状態を監視できるスマートウェアラブルデバイスは見つけられていない。
【発明の概要】
【発明が解決しようとする課題】
【０００５】
本発明は、人の健康状態を監視できたり、人の動作状態も監視できる身体状態及び動作の監視アラームシステムを提供することを目的とする。
【課題を解決するための手段】
【０００６】
本発明は、下記技術的手段を通じて実現し、身体状態及び動作の監視アラームシステムであって、
【０００７】
処理情報を受送信すると共にアラームコマンドを伝送するためのメインチップと、メインチップに接続され、情報データを表示するためのディスプレイと、メインチップに接続され、常に人体の温湿度データを検出すると共に収集し、また収集したデータをメインチップに伝送するための温湿度センサーと、メインチップに接続され、常に人体の血圧データを検出すると共に収集し、また収集したデータをメインチップに伝送するための血液センサーと、メインチップに接続され、常に人体の脳波データを検出すると共に収集し、また収集したデータをメインチップに伝送するための脳波センサーと、メインチップに接続され、常に人体の姿勢データを検出すると共に収集し、また収集したデータをメインチップに伝送するための電子ジャイロスコープと、メインチップに接続され、常に人体の心拍データを検出すると共に収集し、また収集したデータをメインチップに伝送するための心拍センサーと、メインチップに接続され、常に人体の体重データ及び装着物の人体に対する圧力データを検出すると共に収集し、また収集したデータをメインチップに伝送するための圧力センサーと、メインチップに接続され、常に人体から排出された硫化水素の濃度データを検出すると共に収集し、また収集したデータをメインチップに伝送するための硫化水素センサーと、メインチップに接続され、周囲環境の騒音の大きさを監視するための雑音測定モジュールと、メインチップに接続され、データ及びアラーム情報を送信するためのブルートゥースモジュールと、メインチップに接続され、システム電源を供給するための電力供給モジュールと、を含み、前記メインチップにアラーム信号を発するための音声警報モジュールが接続され、メインチップは常に受信した人体の温湿度データ、人体の血圧データ、人体の脳波データ、人体の心拍データ、人体の姿勢データ及び硫化水素濃度データが設定値を超えた時、直ちに音声警報モジュールにアラーム信号を発するよう命令し、前記メインチップに周囲の環境音を記録するための録音モジュールが接続され、メインチップは雑音測定モジュールで検知した周囲環境内の騒音が設定値より大きい時、直ちに録音モジュールを制御して録音する。
【０００８】
その動作原理及び過程は、次の通りとする。
【０００９】
本発明の人の健康状態検出方法：
【００１０】
各センサーが人体温湿度データ、人体血圧データ、人体脳波データ及び人体姿勢データ等を常にメインチップに伝送し、メインチップは各組データと内部に設定して保存されている人体の病態データ指標を互に比較し、各センサーから伝送されたデータに異常があることを発見した場合、直ちに音声警報モジュールにアラーム信号を発するよう命令し、同時にアラーム情報をブルートゥース、ＷＩＦＩ又はＧＳＭモジュールを通じて外部の受信端に送信することで、装着者及びその関係者にリアルタイムで体に異状が現れるたことを知らせる。
【００１１】
雑音モニタリングを通じて、周囲で突然現れた騒音増大状況をリアルタイムで録音すると共にこの録音を関係者に伝送し、関係者が録音の再生を通じて、例えば他人との口げんか、喧嘩等の状態などといった装着者がこの時身に起きた状況を知ることができる。
【００１２】
メインチップは、常に人体姿勢データの変化監視を通じて装着者の姿勢の正常の有無を自動的に判断でき、異状（例えば突然転倒した時）が発見された場合、直ちに音声警報モジュールにアラーム信号を発するよう命令し、同時にアラーム情報をブルートゥース、ＷＩＦＩ或いは無線通信モジュールを通じて外部の受信端に送信することで、装着者及びその関係者にリアルタイムで装着者の動作に異状が現れたことを知らせる。
【００１３】
脳波センサーは、通常帽子内に取り付けられ、硫化水素センサーが通常ズボンに取り付けられ、装着者の大小便の有無を検出することで、関係者が直ちに発見して処理するために用いられ、圧力センサーは通常２個あり、１個が靴底内部に取り付けられて人の体重を量るために用いられ；１個が肩の衣服内部に取り付けられ、該肩部にある圧力センサーが検出した圧力はメインチップに装着者の着用している衣服の厚さを判断させることができ、こうしてメインチップは衣服が比較的厚い時に自動的にスピーカの音量を増大できる。
【００１４】
装着物のクリーニング時、センサーが水で濡れることを防止するため、同時にセンサーの接続線が衣服のサンドイッチ層内部に取り付けられ、接続線とメインチップのポートも防水構造とする。
【００１５】
本技術的手段をもっとよく実施するため、以下の好ましい実施形態を更に提供する。
【００１６】
好ましくは、実施形態ではメインチップに接続されると共に携帯電話に対しアラーム情報を送信するためのＧＳＭモジュールを更に含み、前記ＧＳＭモジュールにＳＩＭカードソケット、ＧＰＲＳモジュール及びＧＰＳ測位モジュールが設けられている。
【００１７】
好ましくは、実施形態ではメインチップに接続されると共に外部ルータにアラーム情報を送信するためのＷＩＦＩモジュールを更に含む。
【００１８】
好ましくは、実施形態ではメインチップに接続されると共にシステムを操作するためのタッチスクリーンを更に含む。
【００１９】
好ましくは、実施形態では録音モジュールに接続されると共に体音データを取得するための電子聴診器を更に含み、
【００２０】
前記電子聴診器は、取得した体音データを録音モジュールに伝送して録音する。
【００２１】
電子聴診器のチェストピースは、通常衣服内側の胸部に近い箇所に設けられ、装着者の体音データに異常が起きた時、リアルタイムで発見できる。
【００２２】
好ましくは、前記メインチップは、ＳＴＭ３２メインチップである。
【００２３】
好ましくは、前記ディスプレイは、ＯＬＥＤスクリーンである。
【００２４】
好ましくは、前記温湿度センサー、血圧センサー、脳波センサー、電子ジャイロスコープ、心拍センサー、圧力センサー及び硫化水素センサー上は防水筐体で覆われる。
【００２５】
好ましくは、実施形態ではメインチップに接続されると共に周囲の環境映像を記録するためのカメラを更に含む。
【００２６】
監視者は、カメラで記録した映像を介して装着者の周囲に発生した事態を知り得ることができ、カメラが通常胸部或いは襟に取り付けられる。
【００２７】
好ましくは、前記雑音測定モジュールには、マイクが設けられている。
【００２８】
マイクは、装着者の周囲の音を取得するために用いられ、マイクを衣服内、襟又は胸部の任意の位置に取り付けることができる。
【００２９】
好ましくは、前記音声警報モジュールには、スピーカが設けられている。
【００３０】
スピーカは、音声警報情報を放送でき、またボタン音又は他のシステム内の音を放送するために用いてもよい。
【００３１】
好ましくは、実施形態ではメインチップに接続されると共にシステム電源を供給するための太陽電池を更に含む。
【００３２】
好ましくは、実施形態ではメインチップ１に接続される集音器モジュール２３を更に含む。
【発明の効果】
【００３３】
従来技術に比べると、本発明の有利な効果としては、
【００３４】
１．本発明は、各種センサーのデータの相互比較を通じて装着者の身に起きた異状をリアルタイムで発見すると共にリアルタイムでアラーム情報を発することができる。
【００３５】
２．本発明は、録音、録画、撮影、姿勢検出等の手段を通じて、装着者の動作状態をもっとよく監視し、異常な動作が起きた時、直ちに介入させることができる。
【００３６】
３．本発明は、装着に便利でかつ機能も豊富で、様々な異なる年齢層の利用者に適用できる。
【図面の簡単な説明】
【００３７】
【図１】本発明のモジュールブロック図である。
【図２】本発明の使用様子を示す模式図である。
【発明を実施するための形態】
【００３８】
以下、添付図面を基に本発明を詳細に説明する。
【００３９】
＜実施形態１＞
図１乃至図２に示すように、本発明は、処理情報を受送信すると共にアラームコマンドを伝送するためのメインチップ１と、
メインチップ１に接続され、情報データを表示するためのディスプレイ２と、
メインチップ１に接続され、常に人体の温湿度データを検出すると共に収集し、また収集したデータをメインチップ１に伝送するための温湿度センサー３と、
メインチップ１に接続され、常に人体の血圧データを検出すると共に収集し、また収集したデータをマスターチップ１に伝送するための血液センサー４と、
メインチップ１に接続され、常に人体の脳波データを検出すると共に収集し、また収集したデータをメインチップ１に伝送するための脳波センサー５と、
メインチップ１に接続され、常に人体の姿勢データを検出すると共に収集し、また収集したデータをメインチップ１に伝送するための電子ジャイロスコープ６と、
メインチップ１に接続され、常に人体の心拍データを検出すると共に収集し、また収集したデータをメインチップ１に伝送するための心拍センサー１５と、
メインチップ１に接続され、常に人体の体重データ及び装着物の人体に対する圧力データを検出すると共に収集し、また収集したデータをメインチップ１に伝送するための圧力センサー１６と、
メインチップ１に接続され、常に人体から排出された硫化水素の濃度データを検出すると共に収集し、また収集したデータをメインチップ１に伝送するための硫化水素センサー１７と、
メインチップ１に接続され、周囲環境の騒音の大きさを監視するための雑音測定モジュール７と、
メインチップ１に接続され、データ及びアラーム情報を送信するためのブルートゥースモジュール１０と、
メインチップ１に接続され、システム電源を供給するための電力供給モジュール１１と、を含み、
前記メインチップ１にアラーム信号を発するための音声警報モジュール９が接続され、メインチップ１は常に受信した人体の温湿度データ、人体の血圧データ、人体の脳波データ、人体の心拍データ、人体の姿勢データ及び硫化水素濃度データが設定値を超えた時、直ちに音声警報モジュール９にアラーム信号を発するよう命令し、
前記メインチップ１に周囲の環境音を記録するための録音モジュール８が接続され、メインチップ１は雑音測定モジュール７で検知した周囲環境内の騒音が設定値より大きい時、直ちに録音モジュール８を制御して録音する。
【００４０】
＜実施形態２＞
本発明をもっとよく実施するため、以下の好ましい実施形態を更に提供する。
【００４１】
好ましくは、本発明はメインチップ１に接続されると共に携帯電話に対しアラーム情報を送信するためのＧＳＭモジュール１２を更に含み、
前記ＧＳＭモジュール１２にＳＩＭカードソケット、ＧＰＲＳモジュール及びＧＰＳ測位モジュールが設けられている。
【００４２】
好ましくは、本発明はメインチップ１に接続されると共に外部ルータにアラーム情報を送信するためのＷＩＦＩモジュール１３を更に含む。
【００４３】
好ましくは、本発明はメインチップ１に接続されると共にシステムを操作するためのタッチスクリーン１４を更に含む。
【００４４】
好ましくは、本発明は録音モジュール８に接続されると共に体音データを取得するための電子聴診器１８を更に含み、
前記電子聴診器１８は、取得した体音データを録音モジュール８に伝送して録音する。
【００４５】
好ましくは、前記ディスプレイ２は、ＯＬＥＤスクリーンである。
【００４６】
好ましくは、前記メインチップ１は、ＳＴＭ３２メインチップである。
【００４７】
好ましくは、前記温湿度センサー３、血圧センサー４、脳波センサー５、電子ジャイロスコープ６、心拍センサー１５、圧力センサー１６及び硫化水素センサー１７上は防水筐体で覆われる。
【００４８】
好ましくは、本発明はメインチップ１に接続されると共に周囲の環境映像を記録するためのカメラ１９を更に含む。
【００４９】
好ましくは、前記雑音測定モジュール７には、マイク２０が設けられている。
【００５０】
好ましくは、前記音声警報モジュール９には、スピーカ２１が設けられている。
【００５１】
好ましくは、本発明はメインチップ１に接続されると共にシステム電源を供給するための太陽電池２２を更に含む。
【００５２】
好ましくは、本発明はメインチップ１に接続される集音器モジュール２３を更に含む。
【００５３】
本発明につき具体的実施例及びその代替形態を挙げて種々説明したが、本発明の精神を逸脱しない範囲内で多くの改変が可能であることが理解されるべきである。よって、添付する特許請求範囲及びその均等条件の制限を受けることを除き、本発明は意味的な制限を受けないことが理解されるべきである。
【符号の説明】
【００５４】
１−メインチップ
２−ディスプレイ
３−温湿度センサー
４−血圧センサー
５−脳波センサー
６−電子ジャイロスコープ
７−雑音測定モジュール
８−録音モジュール
９−音声警報モジュール
１０−ブルートゥースモジュール
１１−電力供給モジュール
１２−ＧＳＭモジュール
１３−ＷＩＦＩモジュール
１４−タッチスクリーン
１５−心拍センサー
１６−圧力センサー
１７−硫化水素センサー
１８−電子聴診器
１９−カメラ
２０−マイク
２１−スピーカ
２２−太陽電池
２３−集音器モジュール
【図１】
2019512772.tif 000003
【図２】
2019512772.tif 000004
【国際調査報告】
2019512772.tif 000005
2019512772.tif 000006
2019512772.tif 000007
2019512772.tif 000008
2019512772.tif 000009
2019512772.tif 000010